(57)【要約】【課題】  従来、超音波振動の付与、遠赤外線の照射、マイナスイオンを放出させることを夫々単独で行うものは開発されているが、ハンディタイプの美顔器で操作が簡単で家庭等で容易に使用でき、同時に又は選択的に行うことができる美顔器の開発が求められている実情である。【解決手段】  美顔器本体１に設けた超音波振動用金属ヘッド２と、超音波振動発生手段２０と、遠赤外線用照射部３と、遠赤外線発生手段３０と、温度制御手段３１と、マイナスイオンチップ４と、マイナスイオン発生手段４０と、電源手段５０と接続された電源スイッチ６ａと電源表示ランプ６ｂと機能選択ボタン６ｃと機能選択表示ランプ６ｄとを配設した操作表示部６と、電源手段と共に超音波振動発生手段と遠赤外線発生手段と温度制御手段とマイナスイオン発生手段とを接続させて制御をする中央制御手段６０とを備えた。【選択図】  図１
2005323970.tif 000002
【特許請求の範囲】
【請求項１】
生体に超音波振動と遠赤外線とマイナスイオンとを単独で又は同時に付与するためのハンディタイプの美顔器本体と、該美顔器本体の先端辺に設けた超音波振動用金属ヘッドと、該超音波振動用金属ヘッドと接続させた超音波振動を発生させる超音波振動発生手段と、前記超音波振動用金属ヘッドの外周辺に設けた遠赤外線を照射させる遠赤外線用照射部と、該遠赤外線用照射部と接続させた遠赤外線を発生させる遠赤外線発生手段と、該遠赤外線の加熱温度を制御する温度制御手段と、前記美顔器本体の側部に設けたマイナスイオンチップと、該マイナスイオンチップと前記超音波振動用金属ヘッドの間でマイナスイオンを発生させるマイナスイオン発生手段と、前記美顔器本体の基端に設けた商業電源に接続されたＡＣアダプターのプラグを挿通させるＤＣジャックと、該ＤＣジャックを接続した電源手段と、該電源手段と接続された電源スイッチと電源表示ランプと機能選択ボタンと機能選択表示ランプとを美顔器本体の把持部に配設した操作表示部と、該操作表示部と共に前記超音波振動発生手段と前記遠赤外線発生手段と前記温度制御手段と前記マイナスイオン発生手段とを接続させて制御をする中央制御手段とを備えたことを特徴とする多機能美顔器。
【発明の詳細な説明】
【技術分野】
【０００１】  本発明は、多機能のハンディタイプの美顔器に関するものであり、更に詳細には、人体の肌面に当接させ超音波振動の付与、遠赤外線の照射、マイナスイオンを肌表面に向けて放出させることを単独又は同時に行うことができる整肌、美顔、或いは、施療を行う多機能美顔器に関するものである。
【背景技術】
【０００２】  従来、この種のハンディタイプの美顔器は、人体の肌面に当接させて超音波振動を付与するものや、遠赤外線を照射させるものや、マイナスイオンを肌表面に向けて放出させるもの等が夫々単独の装置で開発され夫々の用途により活用されている。【０００３】  例えば、超音波振動子を備え、肌に当接して用いるためのプローブと、主電源スイッチと、プローブのグリップ部に設けられている押しボタンスイッチとを設け、主電源スイッチがオンの時に押しボタンスイッチが押されると超音波振動回路から超音波振動子へ発振出力するように構成し、また、超音波出力は一定に保ちながら、超音波出力時間が異なった複数の通電時間信号の組み合わせを１サイクルとして、１秒間に数サイクル出力するように構成したもの（特許文献１参照）や、皮膚測定、遠赤外線マッサージ、オゾンマッサージ、低周波マッサージ、低周波振動マッサージ、及び超音波マッサージ機能を適切に組合わせて皮膚細胞の活動と、新陳代謝の原理を基に皮膚の構造と役割に合う皮膚運動を通じて皮膚清浄化、皮膚美容、皮膚栄養及び皮膚弾力増進を総合的に行えるようにする皮膚総合管理システム及びそれを利用した皮膚総合管理方法とするもの（特許文献２参照）等が先に開示されている。
【特許文献１】  特開２００１−３１４４７３号公報
【特許文献２】  特開２００４−４８５号公報
【発明の開示】
【発明が解決しようとする課題】
【０００４】  然し乍、肌面に当接させ超音波振動の付与、遠赤外線の照射、マイナスイオンを肌表面に向けて放出させることを夫々単独で行うものは開発されているが、手軽なハンディタイプの美顔器で操作が簡単で家庭、理美容院、エステサロン等で容易に使用でき、同時に又は選択的に行うことができる美顔器の開発が求められている実情であり、超音波振動子を備え、肌に当接して用いるためのプローブと、主電源スイッチと、プローブのグリップ部に設けられている押しボタンスイッチとを設け、主電源スイッチがオンの時に押しボタンスイッチが押されると超音波振動回路から超音波振動子へ発振出力するように構成し、また、超音波出力は一定に保ちながら、超音波出力時間が異なった複数の通電時間信号の組み合わせを１サイクルとして、１秒間に数サイクル出力するように構成したものでは、超音波出力を一定に保ちながら超音波出力時間が異なった複数の通電時間信号の組み合わせを１サイクルとして、１秒間に数サイクル出力するようにしているものであるが、超音波出力だけのものである。【０００５】  又、皮膚測定、遠赤外線マッサージ、オゾンマッサージ、低周波マッサージ、低周波振動マッサージ、及び超音波マッサージ機能を適切に組合わせて皮膚細胞の活動と、新陳代謝の原理を基に皮膚の構造と役割に合う皮膚運動を通じて皮膚清浄化、皮膚美容、皮膚栄養及び皮膚弾力増進を総合的に行えるようにする皮膚総合管理システム及びそれを利用した皮膚総合管理方法とするものでは、皮膚を測定してから、遠赤外線マッサージ、オゾンマッサージ、低周波マッサージ、低周波振動マッサージ、及び超音波マッサージ機能を適切に組合わせて皮膚に細胞付与するものであり、専門知識を有する分野で使用するもので一般家庭で素人が容易に使用できるものでは無かった。
【課題を解決するための手段】
【０００６】  本発明の多機能美顔器は前述の課題に鑑み、鋭意研鑽の結果創案したもので、生体に超音波振動と遠赤外線とマイナスイオンとを単独で又は同時に付与するためのハンディタイプの美顔器本体と、美顔器本体に設けた超音波振動用金属ヘッドと、超音波振動用金属ヘッドと接続させた超音波振動発生手段と、超音波振動用金属ヘッドの外周辺に設けた遠赤外線用照射部と、遠赤外線用照射部と接続させた遠赤外線発生手段と、遠赤外線の加熱温度を制御する温度制御手段と、美顔器本体に設けたマイナスイオンチップと、マイナスイオンチップと超音波振動用金属ヘッドの間でマイナスイオンを発生させるマイナスイオン発生手段と、美顔器本体の基端に設けた商業電源に接続されたＡＣアダプターのプラグを挿通させるＤＣジャックと、ＤＣジャックを接続した電源手段と、電源手段と接続された電源スイッチと電源表示ランプと機能選択ボタンと機能選択表示ランプとを美顔器本体の把持部に配設した操作表示部と、操作表示部と共に超音波振動発生手段と遠赤外線発生手段と温度制御手段とマイナスイオン発生手段とを接続させて制御をする中央制御手段とを備えたものである。
【発明の効果】
【０００７】  本発明の多機能美顔器は、ハンディタイプの美顔器本体を手に把持して、電源スイッチをオンさせ、更に、機能選択ボタンを一回乃至数回押圧するとその時選択された機能を表示する機能選択表示ランプが点灯するもので、超音波振動の単独付与と、遠赤外線の単独照射と、超音波振動の付与と同時に遠赤外線の照射と、マイナスイオンの付与とを夫々使い分けることを可能としたもので、超音波振動用金属ヘッドを肌に当接することにより超音波振動が付与され、遠赤外線用照射部を肌に接近することにより遠赤外線が照射され、更には、マイナスイオンチップに指を接触させて超音波振動用金属ヘッドを肌に当接することで、超音波振動用金属ヘッドとマイナスイオンチップとの間でマイナスイオンが発生し、マイナスイオンを肌から吸収させるもので、機能選択ボタンを押圧することにより、夫々の機能選択表示ランプを目視しながら自在に単独で或いは同時に夫々を設定することができ、コンパクトで使用が容易であり、家庭、理美容院、エステサロン等の何処ででも用いることができ、整肌、美顔、又は、施療に役立たせるものであり、画期的で実用性の高い発明である。
【発明を実施するための最良の形態】
【０００８】  本発明は、多機能のハンディタイプの美顔器に関するものであり、更に詳細には、人体の肌面に当接させ超音波振動の付与、遠赤外線の照射、マイナスイオンを肌表面に向けて放出させることを単独又は同時に行うことができる整肌、美顔、或いは、施療を行う多機能美顔器に関するものであり、生体に超音波振動と遠赤外線とマイナスイオンとを単独で又は同時に付与するためのハンディタイプの美顔器本体１と、該美顔器本体１の先端辺に設けた超音波振動用金属ヘッド２と、該超音波振動用金属ヘッド２と接続させた超音波振動を発生させる超音波振動発生手段２０と、前記超音波振動用金属ヘッド２の外周辺に設けた遠赤外線を照射させる遠赤外線用照射部３と、該遠赤外線用照射部３と接続させた遠赤外線を発生させる遠赤外線発生手段３０と、該遠赤外線の加熱温度を制御する温度制御手段３１と、前記美顔器本体１の側部に設けたマイナスイオンチップ４と、該マイナスイオンチップ４と前記超音波振動用金属ヘッド２の間でマイナスイオンを発生させるマイナスイオン発生手段４０と、前記美顔器本体１の基端に設けた商業電源に接続されたＡＣアダプターのプラグを挿通させるＤＣジャック５と、該ＤＣジャック５を接続した電源手段５０と、該電源手段５０と接続された電源スイッチ６ａと電源表示ランプ６ｂと機能選択ボタン６ｃと機能選択表示ランプ６ｄとを美顔器本体１の把持部に配設した操作表示部６と、前記電源手段５０と共に前記超音波振動発生手段２０と前記遠赤外線発生手段３０と前記温度制御手段３１と前記マイナスイオン発生手段４０とを接続させて制御をする中央制御手段６０とを備えたものである。
【実施例】
【０００９】  次いで、本発明の多機能美顔器を実施例を図面によって詳細に説明すると、図１は本発明の多機能美顔器の実施例の全体正面図であり、図２は本発明の多機能美顔器の実施例を説明するための回路図である。【００１０】  即ち、美顔器本体１は図１に図示する如く、先端辺には顔面等の肌に当接させるヘッドと、基端に後述する商業電源に接続されたＡＣアダプターのプラグを挿通させるＤＣジャック５を備え、中間辺はハンディタイプの把持部と成っており、美顔器本体１には後述する各機構が組設されており、生体に超音波振動と遠赤外線とマイナスイオンとを単独で又は同時に付与するものである。【００１１】  次に、超音波振動用金属ヘッド２は美顔器本体１の先端辺に設けたもので、超音波振動用金属ヘッド２の材質としては金属アレルギーが起きにくいステンレススチールにチタンメッキを施しており、後述する超音波振動発生手段２０に接続させているものである。【００１２】  次いで、超音波振動発生手段２０は、図２に図示する如く、複数のトランスＴ１．Ｔ２及び複数の素子Ｑ１．Ｑ２．Ｑ３．Ｑ４等と共に超音波振動子ＵＳが配設された回路であり、超音波振動子ＵＳを超音波振動用金属ヘッド２と接続させて超音波振動を発生させるものである。【００１３】  更に、遠赤外線用照射部３は超音波振動用金属ヘッド２の外周辺に設けられ遠赤外線を照射させるための遠赤外線フィルターカバーであって、後述する遠赤外線発生手段３０に接続させているものである。【００１４】  更には、遠赤外線発生手段３０は、図２に図示する如く、複数の素子Ｑ５Ｑ１０等と共に複数の発光ダイオードＬＥＤ４．ＬＥＤ５．ＬＥＤ６．ＬＥＤ７．ＬＥＤ８が配設された回路であり、複数の発光ダイオードＬＥＤ４．ＬＥＤ５．ＬＥＤ６．ＬＥＤ７．ＬＥＤ８で遠赤外線を発生させて、遠赤外線用照射部３を透光させて人体の肌に遠赤外線を照射させるものである。【００１５】  そして、温度制御手段３１は、図２に図示する如く、素子Ｑ９等と共にサーモスタットＴＨ１が配設された回路であり、サーモスタットＴＨ１により遠赤外線発生手段３０で発生させた遠赤外線による発熱、つまり、加熱温度を制御するもので実施例では美顔器本体１が摂氏４１度以上の高温に成らないように温度制御しているものである。【００１６】  次いで、マイナスイオンチップ４は美顔器本体１の中間辺の把持部の側部に先端を突出させて埋設されているもので、後述するマイナスイオン発生手段４０に接続させているものである。【００１７】  次に、マイナスイオン発生手段４０はマイナスイオンチップ４と超音波振動用金属ヘッド２の間でマイナスイオンとプラスイオンとを交互に発生させてマイナスイオンを人体の肌に供給するものであり、図２に図示する如く、複数の素子Ｑ６．Ｑ７．Ｑ８．Ｑ９等と共にＩＯＮ  ＣＨＩＰに接続されているものである。【００１８】  そして、ＤＣジャック５は美顔器本体１の基端に設けているもので、家庭等に配電されている商業電源に接続されたＡＣアダプター（図示しない）のプラグを挿通させるものであり、特に、お肌（美容）に好適な超音波振動は１００ＭＨｚとされており、１００ＭＨｚの振動に対しても、遠赤外線の照射に対しても安定した電源を得��ものである。【００１９】  次に、電源手段５０は、図２に図示する如く、ヒューズＦ１．リレーＬ１等を介装すると共に、集積回路ＩＣ等とＤＣジャック５とを接続させているものである。【００２０】  更に、操作表示部６は美顔器本体の把持部に電源手段５０と接続させられたもので、電源スイッチ６ａと電源表示ランプ６ｂと機能選択ボタン６ｃと第１の機能選択表示ランプ６ｄと第２の機能選択表示ランプ６ｄとを配設しているものである。【００２１】  更には、  中央制御手段６０は操作表示部６の電源スイッチ６ａと電源表示ランプ６ｂと機能選択ボタン６ｃと第１の機能選択表示ランプ６ｄと第２の機能選択表示ランプ６ｄと接続すると共に、超音波振動発生手段２０と遠赤外線発生手段３０と温度制御手段３１とマイナスイオン発生手段４０と電源手段５０とに接続させており、全体を制御をするものである。【００２２】  つまり、本発明の多機能美顔器は、商業電源に接続されたＡＣアダプターのプラグを美顔器本体１の基端に設けているＤＣジャック５に挿通させ、電源スイッチ６ａを押圧することで電源表示ランプ６ｂが点灯表示され通電状態にあることを確認できるものである。【００２３】  次いで、機能選択ボタン６ｃを一回押圧すると、第１の機能選択表示ランプ６ｄが赤く点灯すると共に超音波振動発生手段２０が作動して超音波振動用金属ヘッド２に超音波振動が発生し、超音波振動用金属ヘッド２を肌に当接することで超音波振動を付与できるものである。【００２４】  次に、もう一度機能選択ボタン６ｃを押圧すると、第１の機能選択表示ランプ６ｄが緑に点灯すると共に遠赤外線発生手段３０が作動して遠赤外線用照射部３を透光して人体の肌に遠赤外線を照射させるものである。【００２５】  更に、もう一度機能選択ボタン６ｃを押圧すると第１の機能選択表示ランプ６ｄは消灯され、第２の機能選択表示ランプ６ｄが赤く点灯すると共に超音波振動発生手段２０と遠赤外線発生手段３０とが作動して、同時に超音波振動用金属ヘッド２から超音波振動が発生し遠赤外線用照射部３から遠赤外線を照射させるものである。【００２６】  そして、更にもう一度機能選択ボタン６ｃを押圧する第２の機能選択表示ランプ６ｄが緑に点灯すると共にマイナスイオン発生手段４０が作動して、マイナスイオンチップ４と超音波振動用金属ヘッド２の間でマイナスイオンとプラスイオンとを交互に発生させてマイナスイオンを人体の肌に供給するものであり、この場合、栄養クリームやビタミンＣ専用液等を予め塗布して行うことが望ましいものである。【００２７】  尚、本発明の多機能美顔器の実施例では、機能選択表示ランプ６ｄは二つ設けているものであるが、その数は特に限定しないもので、選択機能が表示できるものなら構わないもので、更に、タイマーを組み込み夫々の機能が一定の時間で停止するようにすることも可能なものである。
【産業上の利用可能性】
【００２８】  本発明の多機能美顔器は、ハンディタイプの美顔器本体を手に把持して、電源スイッチをオンさせ、更に、機能選択ボタンを一回乃至数回押圧するとその時選択された機能を表示する機能選択表示ランプが点灯するもので、超音波振動の単独付与と、遠赤外線の単独照射と、超音波振動の付与と同時に遠赤外線の照射と、マイナスイオンの付与とを夫々使い分けることを可能としたもので、コンパクトで使用が容易であり、家庭、理美容院、エステサロン等の何処ででも用いることができ、整肌、美顔、又は、施療に役立たせるものである。
【図面の簡単な説明】
【００２９】
【図１】  図１は本発明の多機能美顔器の実施例の全体平面図である。
【図２】  図２は本発明の多機能美顔器の実施例を説明するための回路図である。
【符号の説明】
【００３０】１      美顔器本体
２      超音波振動用金属ヘッド
３      遠赤外線用照射部
４      マイナスイオンチップ
５      ＤＣジャック
６      操作表示部
６ａ    電源スイッチ
６ｂ    電源表示ランプ
６ｃ    機能選択ボタン
６ｄ    機能選択表示ランプ
２０    超音波振動発生手段
３０    遠赤外線発生手段
３１    温度制御手段
４０    マイナスイオン発生手段
５０    電源手段
６０    中央制御手段
【図１】
2005323970.tif 000003
【図２】
2005323970.tif 000004